(57)【要約】  部材、液体、またはばら材料をフィルム袋に包装するための方法が開示され、該フィルム袋は、袋部材の連続ウェブの状態で充填ステーションを通して搬送され、袋の開口部は、物品を受容するための開いた状態に保たれ、その後に袋が閉じられ、そして、ウェブから分離される。充填速度を高め、かつより安価な袋を作製するために、袋ウェブには、袋ウェブの縦方向に延在し、ウェブの横断方向に横並びに配置される袋部材に接続する、中央支持領域が提供される。中央支持領域は、充填ステーションを通してコンベヤ経路に沿って支持レール上を搬送され、完全にまたは部分的に閉じたチャネルとして形成される。２つの並置された袋部材の最外の対向する袋開口縁部における袋部材の周縁領域は、充填ステーションを通してコンベヤ経路に沿って、対向する袋開口縁部において縁部領域を保持し、案内するように適合される案内手段と案内接続させる。この通路と関連して、案内手段は、充填ステーションにおいて袋を連続的に開くために袋開口縁部を離間させ、次いで、袋に充填した後に、袋を再度閉じるために袋開口縁部を接合する。
2017518930.tif 000002
【特許請求の範囲】
【請求項１】
部材、液体、またはばら材料を、袋部材の連続ウェブで充填ステーションを通して搬送されるフィルム袋に包装するための方法であって、
前記袋の開口部が、物品を受容するための開いた状態に保たれ、その後に前記袋が閉じられ、そして、前記ウェブから分離され、
該方法によって、前記袋ウェブが、最初にその開口縁部に沿って、前記充填ステーションを通してコンベヤ経路に沿って対向する袋開口縁部において周縁領域を保持し、案内するように適合される案内手段と案内接続され、
よって、この通路と関連して、前記案内手段が、前記充填ステーションにおいて前記袋を連続して開くために前記袋開口縁部を離間させ、
次いで、前記袋に充填した後に、前記袋を閉じるために前記袋開口縁部を接合し、
該方法によって、前記対向する袋開口縁部が相互に広げられ、
該方法によって、前記袋ウェブを、支持レール上を搬送することによって案内手段に係合させ、
前記案内手段が、前記充填ステーション通して前記コンベヤ経路に沿った前記袋ウェブの保持を確実にし、
また、前記袋ウェブに、前記袋ウェブの縦方向に延在する中央支持領域が提供されること、
前記中央支持領域が、完全にまたは部分的に閉じたチャネルとして形成されること、
前記中心支持領域が、前記ウェブの横断方向に横並びに配置される袋部材に接続すること、
前記中央支持領域が、前記充填ステーションを通して前記コンベヤ経路に沿って前記支持レール上を搬送されること、
前記２つの並置された袋部材の最外の対向する袋開口縁部の周縁領域が、前記案内手段と案内接続されること、を特徴とする、方法。
【請求項２】
前記２つの並置された袋部材の最外の対向する袋開口縁部の前記周縁領域が、溶接によって結合されるか、または前記中央支持領域とともに溶接されること、を特徴とする、請求項１に記載の方法。
【請求項３】
前記２つの並置された袋部材の最外の対向する袋開口縁部の前記周縁領域が、解放されている周縁領域であること、を特徴とする、請求項１に記載の方法。
【請求項４】
部材、液体、またはばら材料を、袋部材の連続ウェブで充填ステーションを通して搬送されるフィルム袋に包装するための装置であって、
前記袋の開口部が、物品を受容するための開いた状態に保たれ、その後に前記袋が閉じられ、そして、前記ウェブから分離され、該方法によって、前記袋ウェブが、最初にその開口縁部に沿って、前記充填ステーションを通してコンベヤ経路に沿って前記対向する袋開口縁部において周縁領域を保持し、案内するように適合される案内手段と案内接続され、よって、この通路と関連して、前記案内手段が、前記充填ステーションにおいて前記袋を連続して開くために前記袋開口縁部を離間させ、次いで、前記袋に充填した後に、前記袋を閉じるために前記袋開口縁部を接合し、該方法によって、前記対向する袋開口縁部が相互に広げられ、該方法によって、前記袋ウェブを、支持レール上を搬送することによって案内手段に係合させ、前記案内手段が、前記充填ステーション通して前記コンベヤ経路に沿った前記袋ウェブの保持を確実にし、また、前記袋ウェブに、前記袋ウェブの縦方向に延在する中央支持領域が提供され、前記中央支持領域が、完全にまたは部分的に閉じたチャネルとして形成され、前記中心支持領域が、前記ウェブの横断方向に横並びに配置される袋部材に接続し、前記中央支持領域が、前記充填ステーションを通して前記コンベヤ経路に沿って前記支持レール上を搬送され、そして、前記２つの並置された袋部材の最外の対向する袋開口縁部の周縁領域が、前記案内手段と案内接続され、
前記装置は、
前記袋開口部が、物品を受容するための開いた状態に保たれる、充填ステーションと、
前記充填ステーションを通してコンベヤ経路に沿って前記対向する外側袋開口縁部において周縁領域を保持し、案内するように適合される、案内手段であって、よって、この通路と関連して、前記案内手段が、前記充填ステーションにおいて前記袋を連続して開くために前記袋開口縁部を離間させ、次いで、前記袋に充填した後に、再度前記袋を閉じるために前記袋開口縁部を接合する、案内手段と、
前記案内手段と係合させるために前記袋ウェブを搬送するための、支持レールと、
を含み、
前記支持レールが、前記袋ウェブの縦方向に延在する中央支持領域において前記袋ウェブを支持し、前記ウェブの横断方向に横並びに配置される袋部材に接続するために、前記充填ステーションを通して前記コンベヤ経路に沿って延在し、よって、前記支持レールが、前記袋ウェブの前記中央支持領域において前記完全にまたは部分的に閉じたチャネルに受容されるように適合されることを特徴とする、装置。
【請求項５】
前記支持レールが、前記袋ウェブを支持するためのエンドレスのバンドまたはベルトを含むことを特徴とする、請求項４に記載の装置。
【請求項６】
前記充填ステーションが、前記２つの並置された袋部材に充填するための、第１及び第２の充填ユニット含むか、または代替的に、変位可能な充填ユニットを含むことを特徴とする、請求項４または５に記載の装置。
【請求項７】
前記案内手段が、前記コンベヤチェーンから自由に突出し、それぞれの周縁領域の穿孔または孔に係合することができる突出部分を有するコンベヤチェーン、それぞれの周縁領域のビードに係合することができる案内チャネル、それぞれの周縁領域のチャネルに係合することができる案内レール、または、摩擦によってそれぞれの周縁領域に係合することができる圧迫チェーンまたはベルトを含むことを特徴とする、請求項４、５、または６に記載の装置。
【請求項８】
前記袋ウェブが、前記ウェブの底縁部から前記ウェブの上縁部の下側の地点まで延在する多数のスリットによって分離される連続した一連の袋部材を含み、前記ウェブの前記側方縁部が溶接によって閉じられ、よって、前記袋ウェブが、前記袋ウェブの縦方向に延在する中央支持領域を含み、前記支持領域が、前記ウェブの横断方向に横並びに配置される袋部材に接続し、また、前記中央支持領域が、完全にまたは部分的に閉じたチャネルとして形成されること、及び前記２つの並置された袋部材の最外の対向する袋開口縁部の前記周縁領域が、案内手段と案内接続されるように適合されることを特徴とする、請求項１に記載の方法を行う際に、及び請求項４に記載の装置において使用するための袋ウェブ。
【請求項９】
前記２つの並置された袋部材の最外の対向する袋開口縁部の前記周縁領域が、溶接によって結合されるか、または前記中央支持領域とともに溶接されることを特徴とする、請求項８に記載の袋ウェブ
【請求項１０】
前記２つの並置された袋部材の最外の対向する袋開口縁部の前記周縁領域が、解放された周縁領域であることを特徴とする、請求項８に記載の袋ウェブ。
【請求項１１】
前記袋ウェブが、前記袋ウェブの縦方向において折り畳み線を中心に折り畳まれるフィルムウェブで形成され、前記折り畳み線が、前記２つの並置された袋部材を形成するために、前記フィルムウェブの各側縁部から、概して前記フィルムウェブの幅の１／４に対応する間隔で配置されることを特徴とする、請求項８〜１０のいずれか一項に記載の袋ウェブ。
【請求項１２】
前記２つの並置された袋部材の最外の対向する袋開口縁部の前記袋ウェブの前記周縁領域のそれぞれに、請求項４に記載の装置の前記案内手段のための一連の穿孔が提供されることを特徴とする、請求項８〜１１のいずれか一項に記載の袋ウェブ。
【請求項１３】
前記２つの並置された袋部材の最外の対向する袋開口縁部の前記袋ウェブの前記周縁領域のそれぞれに、請求項４に記載の装置の前記案内手段に係合するための縦方向ビードが提供されることを特徴とする、請求項８〜１１のいずれか一項に記載の袋ウェブ。
【請求項１４】
前記２つの並置された袋部材の最外の対向する袋開口縁部の前記袋ウェブの前記周縁領域のそれぞれに、請求項４に記載の装置の前記案内手段に係合するための縦方向チャネルが提供されることを特徴とする、請求項８〜１１のいずれか一項に記載の袋ウェブ。
【発明の詳細な説明】
【技術分野】
【０００１】
本発明は、部材、液体、またはばら材料を、袋部材の連続ウェブで充填ステーションを通して搬送されるフィルム袋に包装するための方法に関する。ここで、袋の開口部は、物品を受容するための開いた状態に保たれ、その後に袋が閉じられ、そして、ウェブから分離される。該方法によって、袋ウェブが、最初にその開口縁部に沿って、充填ステーションを通してコンベヤ経路に沿って対向する袋開口縁部において周縁領域を保持し、案内するように適合される案内手段と案内接続される。よって、この通路と関連して、案内手段が、充填ステーションにおいて袋を連続して開くために袋開口縁部を離間させ、次いで、袋に充填した後に、袋を閉じるために袋開口縁部を接合する。該方法によって、対向する袋開口縁部が相互に広げられ、該方法によって、袋ウェブを、支持レール上を搬送することによって案内手段に係合させ、案内手段が、充填ステーションを通してコンベヤ経路に沿った袋ウェブの保持を確実にする。
【０００２】
本発明は更に、かかる方法を行うための装置に関し、該装置は、
袋開口部が、物品を受容するための開いた状態に保たれる、充填ステーションと、
充填ステーションを通してコンベヤ経路に沿って対向する外側袋開口縁部において周縁領域を保持し、案内するように適合される、案内手段であって、よって、この通路と関連して、案内手段が、充填ステーションにおいて袋を連続して開くために袋開口縁部を離間させ、次いで、袋に充填した後に、再度袋を閉じるために袋開口縁部を接合する、案内手段と、
案内手段と係合させるために袋ウェブを搬送するための、支持レールとを含む。
【０００３】
本発明は更に、かかる方法によって、及びかかる装置において使用するための袋ウェブに関し、袋ウェブが、ウェブの底縁部からウェブの上縁部の下側の地点まで延在する多数のスリットによって分離される連続した一連の袋部材を含み、ウェブの側方縁部が溶接によって閉じられ、袋ウェブが、袋ウェブの縦方向に延在する中央支持領域を含み、支持領域が、ウェブの横断方向に横並びに配置される袋部材に接続する。
【背景技術】
【０００４】
この技術の基本的な一例がＥＰ−６９６９９７に記載されているが、該文献では、袋部材ウェブの対向する上縁部領域が、袋部材の開口部を搬送方向に生成するための相互に拡大した状態を有する搬送バーに引き込むための溝によって形成される曲がった周縁部分によって作製され、よって、例えば上方にある漏斗を通して、これらに充填することができ、その後に、搬送バーを互いに対して狭めて、充填した袋部材を一時的に閉じることが述べられている。次いで、これらは、最終的に、該ダクト部分の下で溶接することによって閉じることができ、その後に、これらを切り離して、部材を互いに分離させる。代替として、チャネル部分の代わりに、肉厚縁部を使用してもよく、該肉厚縁部は、袋部材の対応する搬送のためのスロット付き案内チューブで受容し得る。
【０００５】
それ以来、例えばＥＰ０５５５３２１Ｂに記載されているように、袋部材ウェブの対向する上縁部を掴んで担持するための、他のタイプの手段が提案されているが、該手段は、折り畳んだ袋部材ウェブの上縁部領域の設計に対する特別な要件を伴わずに、この目的のために特別な掴みチェーンを使用する。これは、最終製品として、局所的な肉厚部分を伴わない、簡単な巻き取った平坦なフィルムウェブを使用することができるという点で実質的な意味があるが、代わりに、チェーンとの安全な係合のための袋部材の対向する縁部の案内に関して、及びこれらのチェーンの望ましくは安価な実施形態に関して、相当の問題がある。
【０００６】
更に、ＥＰ０３９６８３８及びＥＰ０８２５１１６では、フィルムの平パイプ状ウェブを適用することができ、該ウェブは、溝としても、肉厚部分としても特別に設計することを伴わずに、その上縁部に沿って連続的に切り開くことができ、したがって、切り開いた上縁部を一体的に広げて掴むことができ、このことが、袋部材の形成に対する要件の明瞭な単純化を示すことが述べられている。切り開いた上縁部分は、それぞれの移動ベルト間で圧迫するように広げられ、該ベルトは、縦方向の凹部及び対応する押圧用のコードによって形成され、それによって、適切に堅固な担持係合を確立することができる。
【０００７】
しかしながら、この係合は、袋ウェブの上縁部と関連するベルトコンベヤ手段との間に生じ得る軸方向滑りを超える程度に堅固ではなく、それによって、搬送される部材がコンベアベルトと完全に同期して搬送されているかどうかという不確実性が生じる場合がある。更に、コンベヤベルトの間で圧迫されるウェブ側部の領域の高さに関して逸脱が生じる場合があり、このことは、充填した袋が、最終的に、この目的に対して意図される、例えば袋の印刷に関する、ちょうどその場所で閉じられるかどうかに対する重要性を有し得る。
【０００８】
ＥＰ１０８７８９０には、簡単にした平坦な袋ウェブを使用する技法が記載されており、述べられるように、ウェブが単一の担持バー上に導入されたときに、単に開口縁部が閉じられ、そして、ステーションにおいて連続的に切り開かれ、それによって、直立した周縁ストリップ部分が、対抗するチェーンの上に置かれるように広げられる。これらのストリップ部分には、予め一列の孔が作成されており、該孔は、折り畳む間に担持チェーン上の上向き保持スタッドの上を移動し、それによって、開口縁部のいかなる特殊なプロファイリングも伴うことなく、安全な担持及び推進係合が達成される。
【０００９】
ＥＰ１４５１０６９は、類似の技法を開示している。ここでは、縁部ストリップ部分にも、予め一列の孔が作成され、該孔は、折り畳む間に担持チェーン上の上向き保持スタッドの上を移動する。よって、開口縁部のいかなる特殊なプロファイリングも伴うことなく、確実な担持及び推進係合が達成される。
【００１０】
これら従来の技術に関わる全てのシステムに共通し、袋ウェブは縦方向に位置あわせされ、連続して充填される一連の袋部材と共に搬送される。
【００１１】
ＵＳ２００３／０１６５２７８Ａ、ＥＰ１７３３９７０Ａ、ＵＳ２００４／０１３４１６６Ａ、ＷＯ０２／０７０３４９Ａ、及びＤＥ３８３９３３６Ａは全て、フィルムウェブの縦方向に走る中央に延在する支持領域を伴う２列の袋を有する袋ウェブにおける、種々の袋タイプの充填を開示している。
【００１２】
長年にわたって、充填速度を高めること、及び袋をより安価に生産することに対する要望が存在していた。それは、主に、スタッドの使用が確実な担持及び推進係合を提供する後者の２つの欧州特許の技術と関連する要望である。しかしながら、他の記載された従来技術の技法に関連する、類似する要望が存在する。
【発明の概要】
【発明が解決しようとする課題】
【００１３】
本発明の目的は、高い充填速度を提供する充填ステーションを通して搬送される連続するウェブの状態で、物品、液体、またはばら部材をフィルム袋に包装するための方法を提供することである。
【００１４】
本発明の更なる目的は、高い充填速度及び袋の安価な生産を可能にする袋部材の袋ウェブを示すことである。
【課題を解決するための手段】
【００１５】
本発明によれば、この目的は、導入部分によって述べられるような方法によって達成され、該方法は、袋ウェブに、袋ウェブの縦方向に延在する中央支持領域が提供され、中央支持領域が、完全にまたは部分的に閉じたチャネルとして形成され、中心支持領域が、ウェブの横断方向に横並びに配置される袋部材に接続し、中心支持領域が、充填ステーションを通してコンベヤ経路に沿って支持レール上を搬送され、また、２つの並置された袋部材の最外の対向する袋開口縁部の周縁領域が、案内手段と案内接続される、という点で独特である。
【００１６】
本発明による装置は、支持レールが、袋ウェブの縦方向に延在する中央支持領域において袋ウェブを支持し、ウェブの横断方向に横並びに配置される袋部材に接続するために、充填ステーションを通してコンベヤ経路に沿って延在し、よって、支持レールが、袋ウェブの中央支持領域において完全にまたは部分的に閉じたチャネルに受容されるように適合される、という点で独特である。
【００１７】
本発明による袋ウェブは、袋ウェブの縦方向に延在し、ウェブの横断方向に横並びに配置される袋部材に接続する中央支持領域を含む。これは、中央支持領域が、完全にまたは部分的に閉じたチャネルとして形成され、２つの並置された袋部材の最外の対向する袋開口縁部の前記周縁領域が、案内手段と案内接続されるように適合される、という点で独特である。
【００１８】
単に、ウェブの横断方向に横並びに袋部材を有する袋ウェブを提供することによって、驚くほどに簡単な方法で、充填速度を大幅に高めること、及び同時に、袋の生産及び充填費用を低減させることが可能であると思われる。したがって、袋ウェブは、２つの並置された連続する袋部材の列で現れる。これらの２つの列は、袋ウェブの縦方向に延在する中央支持領域と接続される。
【００１９】
この中央支持領域は、支持レール上で支持されるが、このことは、２つの欧州特許ＥＰ１０８７８９０及びＥＰ１４５１０６９における技法によって既知である。充填ステーションにおいて２つの並置された袋ウェブを支持するために、充填ステーションを通してコンベア経路に沿って延在するように、かかる支持レールを延在させることだけしか必要としない。２つの列の各々からの袋部材は、該袋部材の共通の中央支持領域において共通の中央案内レールによって支持され、また、２つの並置された袋部材の最外の対向する袋開口縁部において周縁領域の各々の案内手段によって支持される。
【００２０】
中央支持領域が完全にまたは部分的に閉じたチャネルとして形成されると、袋ウェブのより確実な案内が達成される。更には、異なる重量の２つの並置された袋部材がウェブを斜めに引き込まないという利点が達成される。中央支持領域においてチャネルを使用することによって、２つの並置された袋に異なる重量で充填することができるようになる。また、これらの袋には、異なる時間に充填することもできる。したがって、充填漏斗及び類似する充填設備を位置付けるための要件が、２つの並置された袋の同時の充填を行わなければならない状況の場合よりも柔軟になる。
【００２１】
したがって、案内手段は、上で説明される従来技術の技法に従って設計することができ、並びに、袋部材の周縁領域も、従来技術の技法に従って設計することができる。例えば充填ステーションが２つの並置された袋部材を同時に充填する２つの充填ユニットを有するような方法で、充填ステーションを改良することだけしか必要としない。
【００２２】
したがって、案内手段の担持チェーンまたは類似物は、あるコースを通して移動させることができ、充填ステーションにおいて、該担持チェーンは、上方からまたは場合によっては側方から２つの袋部材に製品を充填することを可能にするために、２つの並置された袋部材を開かせるような方法で、２つの最外の袋の縁部を引き離す。次いで、充填した袋部材を最終的に閉じて切り離す目的で、袋の縁部を再度一緒に案内することができる。
【００２３】
充填ステーションの終端において、案内手段は、典型的に、切断した袋を握持して移動させるか、または単にコンベヤベルトの上に落とすことができるように引き離される。
【００２４】
スタッドが提供された担持チェーンを使用する場合、どのくらい正確な搬送を達成するかは重要ではなく、搬送中に袋ウェブに対してある程度の張力が生じるかどうかにかかわらず、袋ウェブは、確実な方法で担持チェーンと完全に同期した状態で搬送される。
【００２５】
一実施形態によれば、本方法は、２つの並置された袋部材の最外の対向する袋開口縁部の周縁領域が、溶接することによって接合されるか、または中央支持領域とともに溶接される、という点で独特であり得る。これによって、最外の袋開口縁部の改善された案内が達成される。
【００２６】
更なる実施形態によれば、本方法は、２つの並置された袋部材の最外の対向する袋開口縁部の周縁領域が、解放された周縁領域である、という点で独特であり得る。これは、袋の作製自体を簡単にするが、解放された周縁領域であることは、装置を通して袋ウェブを搬送する間の案内に対する要求がより大きくなる。
【００２７】
一実施形態によれば、本装置は、支持レールが、袋ウェブを支持するためのエンドレスのバンド、ベルト、または類似物を含む、という点で独特であり得る。バンドまたはベルトは、それによって、袋ウェブの搬送に寄与することができる。しかしながら、通常は、袋ウェブが摺動する滑らかな案内レールを使用することが好ましい。
【００２８】
更なる実施形態によれば、本装置は、充填ステーションが、２つの並置された袋部材に充填するための、第１及び第２の充填ユニット含むか、または代替的に、変位可能な充填ユニットを含む、という点で独特であり得る。充填ユニットの選択は、双方の袋に充填される物品が同じ物品であるかどうか、または代替的に、並列に搬送される２つの袋部材に異なる物品を充填するという選択肢によって、本発明によって達成される利点が利用されるかどうかに依存する。
【００２９】
更なる実施形態によれば、本装置は、案内手段が、コンベヤチェーンから自由に突出し、それぞれの周縁領域の穿孔または孔に係合することができる突出部分を有するコンベヤチェーン、それぞれの周縁領域のビードに係合することができる案内チャネル、それぞれの周縁領域のチャネルに係合することができる案内レール、または、摩擦によってそれぞれの周縁領域に係合することができる圧迫チェーンまたはベルトを含む、という点で独特であり得る。述べられるように、本発明によって、導入部分に記載される従来技術によって既知である選択肢を適用することができる。
【００３０】
一実施形態によれば、本袋ウェブは、２つの並置された袋部材の最外の対向する袋開口縁部の周縁領域が、溶接することによって接合されるか、または中央支持領域とともに溶接される、という点で独特であり得る。これによって、本装置を通して搬送することによる最外の周縁領域のより良好な案内が達成される。
【００３１】
更なる実施形態によれば、本袋ウェブは、２つの並置された袋部材の最外の対向する袋開口縁部の周縁領域が、解放された周縁領域である、という点で独特であり得る。これは、袋の生産を簡単にする。
【００３２】
更なる実施形態によれば、本袋ウェブは、袋ウェブが、袋ウェブの縦方向において折り畳み線を中心に折り畳まれるフィルムウェブで形成され、折り畳み線が、２つの並置された袋部材を形成するために、フィルムウェブの各側縁部から、概してフィルムウェブの幅の１／４に対応する間隔で配置される、という点で独特であり得る。したがって、２つの並置された袋部材は、いくつかのフィルムウェブを組み合わせることを全く必要とすることなく、１つのフィルムウェブから好都合に作製することができる。
【００３３】
更なる実施形態によれば、本袋ウェブは、２つの並置された袋部材の最外の対向する袋開口縁部の袋ウェブの周縁領域のそれぞれに、本発明による装置の案内手段のための一連の穿孔が提供される、という点で独特であり得る。これによって周縁領域の確実かつ堅固な握持が達成される。
【００３４】
更なる実施形態によれば、本袋ウェブは、２つの並置された袋部材の最外の対向する袋開口縁部の袋ウェブの周縁領域のそれぞれに、本発明による装置の案内手段に係合するための縦方向ビードが提供される、という点で独特であり得る。案内手段は、摩擦によってビードの周囲を握持することができるチャネルまたはチェーンを含む。
【００３５】
更なる実施形態によれば、本袋ウェブは、２つの並置された袋部材の最外の対向する袋開口縁部の袋ウェブの周縁領域のそれぞれに、本発明による装置の案内手段に係合するための縦方向チャネルが提供される、という点で独特であり得る。案内手段は、チャネルに受容することができ、それによって、周縁領域の確実な案内を提供する、案内レールを含む。
【００３６】
したがって、本発明を行うときに、２つの欧州特許ＥＰ１０８７８９０及びＥＰ１４５１０６９によって既知である袋ウェブ及び装置の構成的な詳細を適用することができる。したがって、それらのいかなる詳細な説明も与えられない。
【００３７】
また、２つの並置された袋を有する唯一の袋ウェブについて述べられている。しかしながら、本発明の範囲内で、更に３つまたは４つの袋が横断方向に並置され、充填装置を通して移動されるように、並置される袋の数を増加させることも可能になる。
【００３８】
以下において、本発明は、添付の概略的な図面を参照してより詳細に説明され、本発明にとって重要な中央支持領域の中のチャネルは、図８〜図９においてだけ視認される。
【図面の簡単な説明】
【００３９】
【図１】一列の袋部材を含む袋ウェブを有する、ＥＰ１０８７８９０によって既知である技法を例示するための斜視図である。
【図２】本発明による袋ウェブにおいて、２列の並置された袋が部分的に開いた状態にある、袋ウェブの部分斜視図である。
【図３】袋を完全に開いた状態であるが、上の図２に示される袋ウェブの部分図である。
【図４Ａ−４Ｆ】本発明による６つの異なる考えられる袋ウェブを示す図である。
【図５Ａ−５Ｃ】図４Ａに示される袋ウェブを充填装置に挿入する３つの工程を例示するための断面図である。
【図５Ｄ】図５Ａに示される第１の工程における袋ウェブの部分斜視図である。
【図６Ａ−６Ｃ】図４Ｂ〜４Ｆに示される袋ウェブを充填装置に挿入する３つの工程を例示するための断面図である。
【図６Ｄ】１箇所溶接した状態の、図６Ａに示される第１の工程における袋ウェブの部分斜視図である。
【図６Ｅ】２箇所溶接した状態の、図６Ａに示される第１の工程における袋ウェブの部分斜視図である。
【図７Ａ−７Ｄ】本発明による装置における４つの代替の案内手段を例示するための断面図である。
【図８Ａ−８Ｂ】本発明による２つの更なる考えられる袋ウェブを示す図である。
【図９Ａ−９Ｃ】図８Ａ及び８Ｂに示される袋ウェブを充填装置に挿入する３つの工程を例示するための断面図である。
【発明を実施するための形態】
【００４０】
図面の説明において、同じまたは対応する要素は、異なる図面において同じ参照番号によって提供される。したがって、各単一の図面／実施形態に関連して全ての詳細の説明が与えられるというわけではない。
【００４１】
図１は、従来技術を示し、また、最外の対向する袋開口縁部において周縁領域を設計するための原理、及び対向する袋開口縁部において周縁領域を保持し、案内するように適合される案内手段を例示する役割を果たす。
【００４２】
図１には、フィルム材料ウェブ４が、供給ロール２から広げることができ、低縁部６の周囲に折り畳まれ、簡単な溶接８によって上縁部に沿って接合された二重フィルムから構成され、いかなる種類のいかなる折り畳みまたは肉厚部分も伴わないことが示される。したがって、このフィルム材料は、管状フィルムとすることもできる。ウェブには、上縁部８の下の地点まで底縁部６から上方に延在する一連のスリット１０が現れ、よって、ウェブには、互いに別個の袋部材１２の状態で現れ、その側縁部は、溶接１４によって閉じられている。スリット１０の真上で、二重のウェブが、関連するスリット１０のいずれかの側部に短く延在するそれぞれの水平線１６によって切断される。
【００４３】
上縁部８と切断線１６との間で、ウェブの周縁領域４０を一列の穿孔１８が貫通する。
【００４４】
この予め作製されたウェブ４は、巻き上げる代わりにジグザグに折り畳んだ形状の供給ボックスでより良好に現れ得る。ウェブ４は、ユニットの固定支持部材２２から延在し、ウェブ４の閉じた上縁部８に対する簡単な支持体としての役割を果たす、支持バーまたはレール２０上の充填ユニットによって巻き出される。
【００４５】
担持部材２２の少し前方において、支持バー２０は、上方に突出するカッター部材２４を有する。該カッターは、ウェブを前進させることによって後方の上縁部を連続的に切断し、その後には、対向する並列チェーンの走行２６から構成される連続担持システムが配設される。該チェーンには、両側にレイアウトされるウェブのそれぞれの頂部分において孔１８に係合するための直立保持スタッド２８が作製され、フィルムウェブを食い込ませた後に、押圧ローラー３０が、後方の頂部側に対して水平に支えるために、堅固に支持される担持チェーン２６に向かって、ウェブ４の該広げた上縁部領域を引き込み、それによって、孔１８を下方に枢動させてチェーンスタッド１８の上に係合させる方法で、孔１８を下方に枢動させる。押圧ローラー３０は、チェーンスタッド２８の外端部分の自由な通過を可能にするための回転溝３２を有し、これらの溝には、横断方向に位置付けられたスタッド（図示せず）がはまり込む。該スタッドは、はめ歯歯車のように、押圧ローラー３０を自動的に同期駆動するために、チェーンスタッド２８と相互作用することができる。
【００４６】
次いで、ウェブ４の対向する上縁部分が担持スタッド２８に確実に固定され、次いで、担持チェーンを、３４によって示されるように、袋部材を連続して開口するための所望のコースを通して案内することができ、それによって、袋部材を充填装置３６によって充填することができ、該充填装置は、開いた袋部材の上に配置され、部材に充填した後に部材を閉じるためのものである。充填装置３６には、充填ノズル３８の形態の充填ユニットが提供される。これをより詳細に示すことは、不要であるとみなされる。しかしながら、スタッド２８は、袋部材ウェブが方向の変化によって通路において張りまたは緩みを受けないように、チェーンの中立線に提供されることに留意されたい。
【００４７】
充填した袋は、スリット１０の頂部の真下で袋部材の溶接閉鎖及び可能性があるその後の切り離しによって、余分なものとして巻き上げられるウェブの残りの部分から解放される。
【００４８】
固定担持部材２２の上には、好ましくは、有孔ウェブ周縁領域の示されるような広げる状態を能動的に生成または開始する、二重羽根の鋤刃形状を有する案内本体が提供され、それによって、スタッド２８の上を下る孔の案内という重要な機能に関して、改善されたセキュリティを達成することができることを述べておきたい。
【００４９】
図２は、２つの並置された袋部材１２を有する袋ウェブが使用される、本発明による装置を示す。最外の周縁領域４０において、袋部材１２は、リテーナスタッド２８への固定を可能にする穿孔１８が貫通する。互いに近接して配置される袋側部において、袋側部の周縁領域は、袋ウェブの縦方向に延在する中央支持領域４２で形成される。中央支持領域４２は、支持レール２０上に配置される。本発明によれば、支持レール２０は、図１に示される長さと比較して長くなっている。したがって、支持レール２０は、充填装置３６が提供される充填ステーション４４を通してコンベヤ経路に沿って延在する。充填装置３６は、２つの並置された袋部材１２を同時に充填するための、２つの並置された充填ノズル３８を有する。
【００５０】
図２に示される部分図よりも前の状況において、フィルムウェブは、図１を参照して説明されるシステムによって取り扱うことができる。図２に示される部分図よりも後の状況において、袋ウェブは、図１に示される袋ウェブと関連して説明した方法に類似する方法で閉じて、切り離すことができる。
【００５１】
図３は、図２に示される図に対応する図であるが、上から見た図である。この図では、どのように袋部材１２が互いに更に離れて移動するのかが示され、よって、現在、該袋部材は、完全に開いている。この状態において、袋部材１２は、充填ステーション４４（明確にするため、図３には図示せず）に位置する。
【００５２】
袋部材１２は、溶接１４によって閉じられる、側縁部を有する。
【００５３】
図４Ａ〜４Ｆは、本発明による袋ウェブの様々な考えられる折り畳みを示す。中央支持領域４２の提供は、２つの並置された袋部材１２を接続する役割を果たす。中央支持領域４２はまた、袋ウェブを本発明による装置に挿入するときに、支持レール２０上の支持を提供する役割も果たす。
【００５４】
図４Ａでは、２つの最外の対向する周縁領域４０が、互いにまたは支持領域４２に取り付けられていない、解放された縁部領域として提供されることが分かる。
【００５５】
図４Ｂは、周縁領域４０が溶接４６によって中央支持領域４２に固定される状況を示す。
【００５６】
図４Ｃは、どのように２つの対向する周縁領域４０が１つの溶接４８によって溶接されるのかを示す。この単一の溶接４８は、随意に、中央支持領域４２への接続の有無にかかわらず行うことができる。
【００５７】
図４Ｄは、どのように２つの溶接４６が個別の溶接として提供されるのかを示す。
【００５８】
図４Ｅは、２つの最外の対向する周縁部分４０を同時に中央支持領域４２に溶接する、唯一の溶接４６’が提供される、代替例を示す。
【００５９】
図４Ｆは、どのように溶接４８が、中央支持領域４２に接続することなく、解放された周縁領域４０を溶接するために使用されるのかを例示する。
【００６０】
図５Ａ〜５Ｃは、包装装置に挿入されたときに、どのように袋ウェブが移動され、開かれるのかを示す。図５Ａは、２つの袋ウェブを案内手段と係合させるために前進させている間に、２つの袋ウェブを開いて支持体の上に静置することを伴わない、２つの袋ウェブを示す。
【００６１】
図５Ｂは、スタッド２８が最外の対向する周縁領域４０上の穿孔に係合する形態で、袋ウェブを案内手段に係合させる状況を示す。
【００６２】
図５Ｃは、袋部材１２が充填するために開かれるように、どのように案内手段が最外の対向する袋開口縁部を互いに移動させたのかを示す。
【００６３】
図５Ｄは、どのように２つの並置された袋部材１２を有する袋ウェブが、中央支持領域４２を介して、支持レール２０上に懸架されて静置されるのかを例示するための、図５Ａに対応する斜視図を示す。
【００６４】
図６Ａ〜６Ｅは、図５Ａ〜５Ｄに対応する図である。これらの違いは、最外の対向する周縁領域が解放されておらず、図４Ｂ〜４Ｆを参照して説明されるような方法で互いに溶接されることである。この設計によって、溶接４６及び１８はそれぞれ、案内チャネル５０を提供し、該案内チャネルには、補助案内レール５２が案内レール２０と並列に延在して配置される。これは、袋ウェブを充填装置へ搬送するときに、良好な案内を提供する。チャネル５０を開き、それによって、最外の周縁領域４０をスタッド２８の形態の案内手段に係合させることができるように、図１に関連して説明される充填装置において切り離しが達成される。
【００６５】
図７Ａ〜７Ｄは、案内手段の代替の実施形態を示す。
【００６６】
図７Ａは、チャネル５６において案内されるビード５４が周縁領域４０に提供され、該チャネルが、充填装置に固定されて提供され、充填ステーションを通して最外の対向する袋開口縁部で周縁領域を保持し、案内する役割を果たす、設計を示す。
【００６７】
図７Ｂは、チャネル５８が周縁領域４０に提供されることを例示する。チャネル５８は、充填ステーションを通してコンベヤ経路に沿って周縁領域４０を保持し、案内する。
【００６８】
図７Ｃは、どのように周縁領域４０が握持チェーン６２に係合するのかを示す。握持チェーン６２は、充填ステーションを通してコンベヤ経路に沿った圧迫アクションによって、周縁領域を保持し、案内することができる。これらの案内手段６４は、例えば、周縁領域４０を保持し、案内することができるコードまたは同類のものを含むことができる。
【００６９】
図８Ａ〜８Ｂは、本発明による袋ウェブの２つの更なる折り畳みを示す。
【００７０】
２つの並置された袋部材１２を接続する中央支持領域４２には、ここでは、本発明による装置における袋ウェブの挿入時に、支持レール２０上で支持体としての役割を果たす、閉じたチャネル６５が提供される。
【００７１】
図８Ａでは、別個のフィルムストリップ６６を溶接することによって閉じたチャネル６５が形成されることが分かる。フィルムストリップ６６は、２つの溶接６７によって、袋部材１２を作製するために使用されるフィルムウェブ４に溶接される。
【００７２】
図８Ｂは、閉じたチャネル６５が形成される実施形態を示す。ウェブフィルム４には、溶接６９によって閉じられるチャネル６５を形成する、折り畳み６８が提供される。
図８Ａ及び８Ｂは、溶接６７及び６９がフィルムウェブ４の長さの全体を通して走る貫通した溶接であるような、閉じたチャネルを示す。しかしながら、代替的に、チャネルが閉じたチャネルとして現れるように、スポット溶接を印加することができる。
【００７３】
図９Ａ〜９Ｃは、図６Ａ〜６Ｄに対応する図である。この実施形態における違いは、支持レール２０の上に配置される中央支持領域４２が、この状況では、閉じたチャネル６５として形成されることである。これによって、フィルムウェブが２つの併置された袋１２の不均等な充填によって斜めに引き込まれる危険性が回避される。
【００７４】
様々な実施形態によって述べられる案内レールは、中央支持領域がその上を摺動する滑らかなレールから構成することができる。代替的に、案内レールは、袋ウェブをコンベヤ経路に沿って充填ステーションの中へ、及びそこを通して搬送することに寄与するような方法でエンドレスな走行が提供される、ベルト、チェーン、または類似物を備え得る。
【図１】
2017518930.tif 000003
【図２】
2017518930.tif 000004
【図３】
2017518930.tif 000005
【図４Ａ】
2017518930.tif 000006
【図４Ｂ】
2017518930.tif 000007
【図４Ｃ】
2017518930.tif 000008
【図４Ｄ】
2017518930.tif 000009
【図４Ｆ】
2017518930.tif 000010
【図５Ａ】
2017518930.tif 000011
【図５Ｂ】
2017518930.tif 000012
【図５Ｃ】
2017518930.tif 000013
【図５Ｄ】
2017518930.tif 000014
【図６Ａ】
2017518930.tif 000015
【図６Ｂ】
2017518930.tif 000016
【図６Ｃ】
2017518930.tif 000017
【図６Ｄ】
2017518930.tif 000018
【図６Ｅ】
2017518930.tif 000019
【図７Ａ】
2017518930.tif 000020
【図７Ｂ】
2017518930.tif 000021
【図７Ｃ】
2017518930.tif 000022
【図７Ｄ】
2017518930.tif 000023
【図８Ａ】
2017518930.tif 000024
【図８Ｂ】
2017518930.tif 000025
【図９Ａ】
2017518930.tif 000026
【図９Ｂ】
2017518930.tif 000027
【図９Ｃ】
2017518930.tif 000028
【国際調査報告】
2017518930.tif 000029
2017518930.tif 000030
2017518930.tif 000031
2017518930.tif 000032
2017518930.tif 000033
2017518930.tif 000034
2017518930.tif 000035
2017518930.tif 000036